(57)【要約】【課題】画像形成装置によりレジカウンターの行列を解消する。【解決手段】利用客は商品の入った買い物かごを第１トレイに載置し、商品に記載されているバーコード等の識別情報を商品情報読取部１４に読み取らせる。商品情報取得部１１１は、商品情報読取部１４が読み取った識別情報に基づいてサーバー９１から商品名や販売価格等の商品情報を取得する。代金計算部１１２は販売価格から合計代金を算出し、表示制御部１１８が合計代金を操作パネル２０に表示させる。不正判断部１１３は、第１重量測定部３１１が測定した重量と第２重量測定部３１２が測定した重量を用いて正しい精算が行われたか否かを判断する。【選択図】図５
2015049856.tif 000002
【特許請求の範囲】
【請求項１】
用紙に画像を印刷する画像形成部と、
前記画像形成部によって画像が印刷された用紙を第１トレイ又は第２トレイに排出する用紙搬送部と、
前記第１トレイに載置された商品の重量を測定する第１重量測定部と、
商品の識別情報を読み取る商品情報読取部と、
前記商品情報読取部が読み取った識別情報に基づいて前記商品の商品名及び販売価格を含む商品情報を取得する商品情報取得部と、
前記商品情報取得部が取得した販売価格に基づいて一取引の合計金額を計算する代金計算部と、
前記第２トレイに載置された商品の重量を測定する第２重量測定部と、
前記第１重量測定部が測定した重量と前記第２重量測定部が測定した重量を用いて正しい精算が行われたか否かを判断する不正判断部と、
を備えた画像形成装置。
【請求項２】
前記第１トレイと前記第２トレイは、垂直方向に並列して配置されており、
前記第１トレイに商品が載置されたか否かを検知する検知部と、
前記第１トレイと前記第２トレイが近接する第１ポジションと、当該第１ポジションより下方にある第２ポジションとの間で当該第１トレイを移動させる駆動部と、
前記駆動部の制御を行う駆動制御部と、を更に備え、
前記検知部が前記商品を検知していないとき、前記駆動制御部は前記第１トレイを前記第１ポジションに配置させ、前記検知部が前記商品を検知したとき、前記駆動制御部は前記第１トレイを前記第２ポジションに配置させるよう前記駆動部に対して制御を行う請求項１に記載の画像形成装置。
【請求項３】
利用客からの精算開始指示を受け付ける精算開始受付部を更に備え、前記精算開始受付部が精算開始指示を受け付けたとき、前記駆動制御部は前記第１トレイを前記第２ポジションに配置させるよう制御を行う請求項１又は請求項２に記載の画像形成装置。
【請求項４】
前記第１重量測定部は精算前の商品の重量を測定し、前記第２重量測定部は精算後の商品の重量を測定し、前記不正判断部は前記精算前の商品の重量と前記精算後の商品の重量を比較して、重量が一致する場合は正しい精算が行われたと判断し、重量が一致しない場合は正しく精算が行われていないと判断する請求項１〜請求項３の何れか一項に記載の画像形成装置。
【請求項５】
前記第１重量測定部は、前記第１トレイに載置された買い物かごの中から精算のために商品が取り出される前後の重量を測定し、前記商品情報読取部が当該商品の識別情報を読み取った後、前記第２重量測定部は、当該商品が前記第２トレイに載置された買い物かごの中に置かれる前後の重量を測定し、前記不正判断部は、前記第１重量測定部が測定した当該商品が取り出される前後の重量差と、前記第２重量測定部が測定した当該商品が置かれる前後の重量差を比較し、一致する場合は正しい精算が行われたと判断し、一致しない場合は正しく精算が行われていないと判断する請求項１〜請求項４の何れか一項に記載の画像形成装置。
【請求項６】
前記商品情報取得部が取得した前記一取引の全購入商品の商品名及び販売価格と前記代金計算部が算出した合計金額を含むレシート情報を生成するレシート情報生成部と、
前記レシート情報を前記画像形成部に印刷させる印刷制御部と、
を更に備えた請求項１〜請求項５の何れか一項に記載の画像形成装置。
【請求項７】
前記代金計算部が計算した代金を徴収し釣銭を払い戻す課金部を更に備え、前記印刷制御部は、前記課金部が徴収した代金と払い戻した釣銭の金額を前記画像形成部に更に印刷させる請求項６に記載の画像形成装置。
【請求項８】
用紙に画像を印刷する画像形成部と、
前記画像形成部によって画像が印刷された用紙を第１トレイ又は第２トレイに排出する用紙搬送部と、
商品の識別情報を読み取る商品情報読取部と、
前記商品情報読取部が読み取った識別情報に基づいて前記商品の価格情報及び商品名を含む商品情報を取得する商品情報取得部と、
前記商品情報取得部が取得した販売価格に基づいて一取引の合計金額を計算する代金計算部と、
前記商品情報取得部が取得した前記一取引の全購入商品の商品名及び販売価格と前記代金計算部が算出した合計金額を含むレシート情報を生成するレシート情報生成部と、
前記画像形成部の制御を行う印刷制御部と、
前記レシート情報を外部の補助記憶装置に転送する転送部と、
を備え、前記印刷制御部は前記レシート情報を前記画像形成部に印刷させる制御を行う画像形成装置。
【請求項９】
前記レシート情報生成部が生成したレシート情報をグラフ化してグラフ情報を生成するグラフ情報生成部を更に備え、前記印刷制御部は、前記グラフ情報生成部が生成したグラフを前記画像形成部に印刷させる請求項８に記載の画像形成装置。
【請求項１０】
前記第１トレイに載置された商品の重量を測定する第１重量測定部と、
前記第２トレイに載置された商品の重量を測定する第２重量測定部と、
前記第１重量測定部が測定した重量と前記第２重量測定部が測定した重量を比較して正常な精算が行われたか否かを判別する不正判別部と、
を更に備えた請求項８及び請求項９に記載の画像形成装置。
【請求項１１】
前記第１重量測定部は精算前の商品の重量を測定し、前記第２重量測定部は精算後の商品の重量を測定し、前記不正判断部は前記精算前の商品の重量と前記精算後の商品の重量を比較して、重量が一致する場合は正しい精算が行われたと判断し、重量が一致しない場合は正しく精算が行われていないと判断する請求項１０に記載の画像形成装置。
【請求項１２】
前記第１重量測定部は、前記第１トレイに載置された買い物かごの中から精算のために商品が取り出される前後の重量を測定し、前記商品情報読取部が当該商品の識別情報を読み取った後、前記第２重量測定部は、当該商品が前記第２トレイに載置された買い物かごの中に置かれる前後の重量を測定し、前記不正判断部は、前記第１重量測定部が測定した当該商品が取り出される前後の重量差と、前記第２重量測定部が測定した当該商品が置かれる前後の重量差を比較し、一致する場合は正しい精算が行われたと判断し、一致しない場合は正しく精算が行われていないと判断する請求項１０又は請求項１１に記載の画像形成装置。
【請求項１３】
前記第１トレイと前記第２トレイは、垂直方向に並列して配置されており、
前記第１トレイに商品が載置されたか否かを検知する検知部と、
前記第１トレイと前記第２トレイが近接する第１ポジションと、当該第１ポジションより下方にある第２ポジションとの間で当該第１トレイを移動させる駆動部と、
前記駆動部の制御を行う駆動制御部と、
を更に備え、前記検知部が前記商品を検知していないとき、前記駆動制御部は前記第１トレイを前記第１ポジションに配置させ、前記検知部が前記商品を検知したとき、前記駆動制御部は前記第１トレイを前記第２ポジションに配置させるよう前記駆動部に対して制御を行う請求項８〜請求項１２の何れか一項に記載の画像形成装置。
【請求項１４】
利用客からの精算開始指示を受け付ける精算開始受付部を更に備え、前記精算開始受付部が精算開始指示を受け付けたとき、前記駆動制御部は前記第１トレイを前記第２ポジションに配置させるよう制御を行う請求項１３に記載の画像形成装置。
【請求項１５】
前記代金計算部が計算した代金を徴収し釣銭を払い戻す課金部を更に備え、前記印刷制御部は、前記課金部が徴収した代金と払い戻した釣銭の金額を前記画像形成部に印刷させる請求項８〜請求項１４の何れか一項に記載の画像形成装置。
【発明の詳細な説明】
【技術分野】
【０００１】
本発明は、レジスター機能を備えた画像形成装置に関する。
【背景技術】
【０００２】
近年、スーパーマーケットに加え、コンビニエンスストアの増加によって、様々な機能を備えたレジスターが開発されている。
【０００３】
特許文献１及び２には、スーパーマーケットやコンビニエンスストア、小売店等で利用するレジスターにおいて、店員や顧客の不正行為に対する防犯機能を備えたレジスターや、顧客が購入内容を自宅で管理しやすいレシートを発行可能なレジスター等について記載されている。
【先行技術文献】
【特許文献】
【０００４】
【特許文献１】特開２００３−１６２６２７号公報
【特許文献２】特開２０１１−８６０８７号公報
【発明の概要】
【発明が解決しようとする課題】
【０００５】
コンビニエンスストアでは、時間帯によっては利用客が殺到し、レジカウンターに行列ができてしまう場合もある。しかし、上記特許文献に記載された技術では、行列解消は解決できない。
【０００６】
本発明は、上記の問題を解決するためになされたもので、レジカウンターの行列を解消するためにレジスター機能付き画像形成装置を提供することである。
【課題を解決するための手段】
【０００７】
本発明における画像形成装置は、用紙に画像を印刷する画像形成部と、前記画像形成部によって画像が印刷された用紙を第１トレイ又は第２トレイに排出する用紙搬送部前記第１トレイに載置された商品の重量を測定する第１重量測定部と、商品の識別情報を読み取る商品情報読取部と、前記商品情報読取部が読み取った識別情報に基づいて前記商品の商品名及び販売価格を含む商品情報を取得する商品情報取得部と、前記商品情報取得部が取得した販売価格に基づいて一取引の合計金額を計算する代金計算部と、前記第２トレイに載置された商品の重量を測定する第２重量測定部と、前記第１重量測定部が測定した重量と前記第２重量測定部が測定した重量を用いて正しい精算が行われたか否かを判断する不正判断部と、を備えたものである。
【０００８】
また、本発明における画像形成装置は用紙に画像を印刷する画像形成部と、前記画像形成部によって画像が印刷された用紙を第１トレイ又は第２トレイに排出する用紙搬送部と、商品の識別情報を読み取る商品情報読取部と、前記商品情報読取部が読み取った識別情報に基づいて前記商品の価格情報及び商品名を含む商品情報を取得する商品情報取得部と、前記商品情報取得部が取得した販売価格に基づいて一取引の合計金額を計算する代金計算部と、前記商品情報取得部が取得した前記一取引の全購入商品の商品名及び販売価格と前記代金計算部が算出した合計金額を含むレシート情報を生成するレシート情報生成部と、前記画像形成部の制御を行う印刷制御部と、前記レシート情報を外部の補助記憶装置に転送する転送部と、を備え、前記印刷制御部は前記レシート情報を前記画像形成部に印刷させる制御を行うものである。
【発明の効果】
【０００９】
本発明によれば、画像形成装置がコピーやプリンター等の画像形成機能に加えて、商品の精算を行うレジスター機能を持つことで、利用客は画像形成装置をセルフレジとして使用することができるため、店舗のレジカウンターの混雑を解消させることができる。
【００１０】
更に、レシート情報生成部が生成したレシート情報を補助記憶装置に転送する場合には、これにより、利用客はレシート情報を自宅に持ち帰って家計管理に役立てることができ、画像形成装置の利便性を向上させることができる。
【図面の簡単な説明】
【００１１】
【図１】画像形成装置の外観図である。
【図２】フィニッシャー部の外観図である。
【図３】フィニッシャー部本体と第１トレイの接続部分の断面図である。
【図４】商品情報読取部の外観図である。
【図５】画像形成装置の主要内部構成を示す機能ブロック図である。
【図６】レジスターモード時の処理の流れを示したフローチャートである。
【図７】画像形成部が印刷するレシートの一例を示した図である。
【図８】グラフ情報生成部が生成するグラフの一例を示した図である。
【発明を実施するための形態】
【００１２】
以下、本発明の一実施形態に係る画像形成装置について図面を参照して説明する。図１は、本発明の一実施形態に係る画像形成装置１の外観図である。画像形成装置１は、例えば、コピー機能、プリンター機能、スキャナー機能及びファクシミリ機能等の複数の機能と、更にレジスター機能を備えた複合機である。
【００１３】
画像形成装置１はＭＦＰ（Multi-Function Printer）モードとレジスターモードの２つの動作モードを有する。ＭＦＰモードは画像形成装置１をコピー機、プリンター、スキャナー及びファクシミリとして使用する時のモード、レジスターモードは画像形成装置１を顧客自身が商品のバーコード（識別情報）をスキャンさせて代金支払いを行うセルフレジとして使用する時のモードをいう。
【００１４】
画像形成装置１は、主にコンビニエンスストア等に設置され、利用客はコピー等を行う他にセルフレジとして使用することができる。これにより、店内のレジカウンターに行列ができたとき、利用客がセルフレジとしての画像形成装置１を使用することで、混雑を解消させることができる。
【００１５】
画像形成装置１は、装置本体１０、操作パネル２０（精算開始受付部）、フィニッシャー部３０及び課金装置４０（課金部）を備えて構成されている。装置本体１０は、原稿を読み取る原稿読取部（スキャナー）や用紙を収納する用紙トレイ、用紙トレイから搬送された用紙に画像を印刷する画像形成部等で構成される。
【００１６】
操作パネル２０は、各種メッセージが表示される表示画面と、スタートボタンやストップ／クリアボタン、リセットボタン等のハードキーで構成される。
【００１７】
フィニッシャー部３０は、画像が印刷された用紙にステイプル処理やパンチ処理、紙折り処理等を施す。課金装置４０は、コインベンダーと言われ、ＭＦＰモード時はコピー代の徴収を行い、レジスターモード時は商品代金の徴収を行う。
【００１８】
図２は、フィニッシャー部３０の外観図である。フィニッシャー部３０は、第１トレイ３１と第２トレイ３２を備える。第１トレイ３１と第２トレイ３２は、ＭＦＰモード時はステイプル処理等の後処理が行われた原稿の排出先として使用され、レジスターモード時は買い物かご置き場として使用される。利用客は第１トレイ３１に精算前の商品が入った買い物かご、第２トレイ３２に精算後の商品が入った買い物かごを載置する。そして、第１トレイ３１及び第２トレイ３２には、各トレイに載置された買い物かごと商品の重量を計測するためのセンサーが配設されている。
【００１９】
また、ＭＦＰモード時、第１トレイ３１と第２トレイ３２は、図２に示すように近接して配置されている。第１トレイ３１は内部に配設された移動モーター（不図示）によって垂直（上下）方向に移動可能なように構成されており、ＭＦＰモード時は、図２に示すように、第１トレイ３１は第２トレイ３２に近接した高い位置（第１ポジション）に配置される。
【００２０】
しかし、レジスターモード時に第１トレイ３１と第２トレイ３２が近接していると各トレイ上に買い物かごを置きづらくなる。そのため、レジスターモード時は、移動モーターが第１トレイ３１を第１ポジションよりも低い第２ポジションに移動させる。
【００２１】
図３は、フィニッシャー部３０本体と第１トレイ３１の接続部分の断面図である。トレイ上面センサー３３（検知部）は、第１トレイ３１の上面、または当該上面に載置される買い物かご等を検知するセンサーである。トレイ上面センサー３３が買い物かごを検知すると、移動モーターは第１トレイ３１を第２ポジションに移動させる。そして、商品の精算処理が全て終了すると、トレイ上面センサー３３が第１トレイ３１の上面を検知するまで（つまり第１ポジションまで）移動モーターは第１トレイ３１を移動させる。
【００２２】
図４は、商品情報読取部１４の外観図である。商品情報読取部１４は、利用客が操作しやすいように装置本体１０の前面上方に配置される。商品情報読取部１４は、各商品に添付された識別情報を読み取るためのものであり、バーコードであれば光学的に読み取るバーコードリーダー、ＲＦＩＤ（Radio Frequency Identification）タグであればＲＦＩＤリーダー等で構成される。商品情報読取部１４は商品の識別情報を読み取り、後ほど説明する商品情報取得部がサーバー等にアクセスして商品名や販売価格等の商品情報を取得する。
【００２３】
図５は、画像形成装置１の主要内部構成を示す機能ブロック図である。画像形成装置１は、制御部１１、操作パネル２０、原稿読取部１２、画像形成部１３、用紙搬送部１９、商品情報読取部１４、ネットワークＩ／Ｆ１５、Ｉ／Ｆ１６（転送部）、フィニッシャー部３０及び課金装置４０を備えて構成される。以下、上記にて説明した構成要素については説明を省略する。
【００２４】
用紙搬送部１９は、用紙トレイから用紙を繰り出して画像形成部１３へ搬送し、印刷が施された用紙を外部トレイへ排出する。ネットワークＩ／Ｆ１５は、外部のサーバー９１等とデータの送受信を行うインターフェース回路である。サーバー９１は、例えば、店舗で販売されている商品の商品名や販売価格等を蓄積して記憶している。商品情報取得部１１１がネットワークＩ／Ｆ１５を介してサーバー９１にアクセスし、商品情報読取部１４が読み取った商品情報に基づいて商品名や販売価格等の情報を取得する。
【００２５】
Ｉ／Ｆ１６は、持ち歩き可能な補助記憶端末（例えば、ＵＳＢメモリー９２やメモリーカード）等とデータの送受信を行うインターフェース回路である。画像形成装置１での精算後、レシート情報生成部１１６がレシートの内容をデータ化してレシート情報を生成する。その後、利用客はＩ／Ｆ１６を介してレシート情報をＵＳＢメモリー９２にダウンロードすることができる。
【００２６】
フィニッシャー部３０の第１重量測定部３１１は第１トレイ３１に載置された物品の重量を測定し、第２重量測定部３１２は第２トレイに載置された商品の重量を測定する。移動モーター３１３（駆動部）は、第１トレイ３１を上下方向に移動させる。
【００２７】
制御部１１は、各種プログラムを読み出して処理を実行し、各機能部への指示信号の出力、データ転送等を行って画像形成装置１を統括的に制御するものであり、商品情報取得部１１１、代金計算部１１２、不正判断部１１３、駆動制御部１１４、印刷制御部１１５、レシート情報生成部１１６、グラフ情報生成部１１７及び表示制御部１１８を有する。
【００２８】
商品情報取得部１１１は、商品情報読取部１４が読み取った商品の識別情報に基づいてネットワークＩ／Ｆ１５を介してサーバー９１にアクセスし、商品名や販売価格等の商品情報を取得する。代金計算部１１２は、商品情報取得部１１１が取得した代金を加算して、一取引の合計金額を算出する。
【００２９】
不正判断部１１３は、第１重量測定部３１１及び第２重量測定部３１２が測定した重量に基づいて正しく精算が行われたか否かを判断する。判断の手順として２つの方法を例に挙げて説明する。
＜判断手順１＞
まず、第１重量測定部３１１は精算前に第１トレイ３１に載置された商品重量（Ｗ１）を測定する。利用客が全ての商品の精算処理を行った後、第２重量測定部３１２が第２トレイ３２に載置された商品重量（Ｗ２）を測定する。全ての商品が正しく精算されたのであれば、精算前と精算後の重量は等しくなるはずである（Ｗ１＝Ｗ２）。不正判断部１１３は、精算前と精算後の重量を比較し、一致すれば正しく精算が行われたと判断する。
【００３０】
しかし、利用客が商品の一部を商品情報読取部１４で読み取らせずに第２トレイ３２の買い物かごに移動させなかった場合、精算前と精算後の重量は一致しない（Ｗ１＞Ｗ２）。つまり、不正判断部１１３は、精算前と精算後の重量が一致しなかった場合、精算が正しく行われていないと判断する。この判断を受けて、表示制御部１１８は操作パネル２０に正しく精算が行われていない旨の警告メッセージを表示させる。
＜判断手順２＞
第１重量測定部３１１は利用客が商品を買い物かごから取り出す前後の重量を測定する（Ｗ１ａとＷ１ｂ）。その後、商品情報読取部１４が識別情報の読み取りを行い、商品Ａが第２トレイ３２に載置された買い物かごに置かれる前後の重量を第２重量測定部３１２が測定する（Ｗ２ａとＷ２ｂ）。
【００３１】
ここで、Ｗ１ａとＷ１ｂの差（Ｗ１ａ−Ｗ１ｂ＝Ｗ１ｄ）とＷ２ａとＷ２ｂの差（Ｗ２ａ−Ｗ２ｂ＝Ｗ２ｄ）は精算した商品の重量を示し、正しい精算が行われた場合はそれぞれの差は同じ値（Ｗ１ｄ＝Ｗ２ｄ）となるはずである。
【００３２】
つまり、不正判断部１１３は、第２重量測定部３１２が測定した重量差と、第１重量測定部３１１が測定した重量差を用いて正しい精算が行われたか否かを判断する。この判断を受けて、表示制御部１１８は操作パネル２０に正しく精算が行われていない旨の警告メッセージを表示させる。
【００３３】
上記、判断手順１及び２で説明したように、第１重量測定部３１１及び第２重量測定部３１２が測定した重量を用いて不正判断部１１３が正しい精算がされているか否かを判断することにより、盗難等の不正な精算を防止することができる。
【００３４】
駆動制御部１１４は、移動モーター３１３の駆動制御を行う。例えば、ＭＦＰモード時は第１トレイ３１が第１ポジションに位置するよう移動モーター３１３を駆動させ、レジスターモード時は第１トレイ３１が第２ポジションに位置するよう移動モーター３１３を駆動させる。
【００３５】
印刷制御部１１５は、画像形成部１３に対する印刷制御を行う。例えば、商品情報取得部１１１が取得した商品名と販売価格、代金計算部１１２が計算した合計代金等に基づいて後述するレシート情報生成部１１６がレシート情報を生成し、印刷制御部１１５はこのレシート情報の内容を画像形成部１３に印刷させる。図７は、画像形成部１３が印刷するレシートの一例を示した図である。
【００３６】
レシート情報生成部１１６は、商品情報取得部１１１が取得した商品名と販売価格、代金計算部１１２が計算した合計代金等を含んだレシート情報を生成する。
【００３７】
グラフ情報生成部１１７は、レシート情報生成部１１６が生成したレシート情報や、画像形成部１３が印刷したレシート用いて家計簿グラフを生成する。レシート情報生成部１１６が生成したレシート情報は、利用客がＩ／Ｆ１６を介してＵＳＢメモリー９２にダウンロードさせることができる。その後、利用客が例えば１か月分のレシート情報を記憶したＵＳＢメモリー９２を持参し、Ｉ／Ｆ１６にＵＳＢメモリー９２を装着させると、レシート情報生成部１１６はＵＳＢメモリー９２から１か月分のレシート情報を読み出して、家計簿グラフを作成する。
【００３８】
その他の方法としては、レシート情報生成部１１６がレシート情報を生成する際、レシート情報を識別するための識別コード（図７に示すＱＲコード（登録商標）８２）を付加する。そしてサーバー９１がレシート情報と識別コードを対応付けて記憶する。
【００３９】
利用客がレシートを持って来店し、ＱＲコード（登録商標）８２を商品情報読取部１４に読み取らせると、読み取ったＱＲコード（登録商標）８２に基づいて制御部１１がサーバー９２からレシート情報を取得し、取得したレシート情報を用いてグラフ情報生成部１１７が家計簿グラフを作成する。例えば利用客が１か月分のレシートのＱＲコード（登録商標）を商品情報読取部１４に読み取らせると、グラフ情報生成部１１７は、１か月分のレシート情報をまとめてグラフ化する。
【００４０】
図８は、グラフ情報生成部１１７が生成する家計簿グラフの一例を示した図である。利用客は、グラフ情報生成部１１７が生成した家計簿グラフを印刷させたり、Ｉ／Ｆ１６を介してＵＳＢメモリー９２にダウンロードさせたりしてデータを持ち帰り、自宅のパソコン等で家計管理に役立てることができる。
【００４１】
尚、図８に示したグラフはあくまで一例であり、この限りではない。また、レシート情報の読み取りは、商品情報読取部１４が読み取る以外に、原稿読取部１２が読み取ってもよい。
【００４２】
次に、画像形成装置１のレジスターモード時の流れについて説明する。図６は、レジスターモード時の処理の流れを示したフローチャートである。尚、図６に示すフローチャートでは、不正判断部１１３が上記＜判断手順１＞を用いて正しい精算が行われたかを判断する場合について説明する。
【００４３】
まず、利用客が第１トレイ３１に購入したい商品の入った買い物かごを置くと（ステップＳ５１）、トレイ上面センサー３３が買い物かごを検知して、検知信号を駆動制御部１１４へ出力する。駆動制御部１１４は、この検知信号を受けて、移動モーター３１３を駆動させて、第１トレイ３１を第２ポジションへ移動させる（ステップＳ１１）。その後、第１重量測定部３１１が第１トレイ３１に載置された買い物かごと商品の重量Ｗ１を測定する（ステップＳ１２）。
【００４４】
次に、利用客は第１トレイ３１に載置された買い物かごから商品を１つ取り出し、その商品に添付された識別情報を商品情報読取部１４に読み取らせる（ステップＳ５２）。商品情報読取部１４は、商品の識別情報を読み取り、商品情報取得部１１１へ出力する（ステップＳ１３）。商品情報取得部１１１は、ネットワークＩ／Ｆ１５を介してサーバー９１にアクセスし、識別情報に基づいて商品情報を取得する（ステップＳ１４）。
【００４５】
続いて、代金計算部１１２は、商品情報取得部１１１が取得した商品情報から販売価格を取得して、合計金額を計算する（ステップＳ１５）。利用客は、商品のバーコードを商品情報読取部１４に読み取らせた後、第２トレイ３２の買い物かごの中に入れる（ステップＳ５３）。利用客は第１トレイ３１に載置した買い物かごの中の商品がなくなるまでステップＳ５２とＳ５３の動作を繰り返し、利用客の動作を受けて、画像形成装置１はステップＳ１３からＳ１６の処理を繰り返す。
【００４６】
購入商品全てのバーコード読み取りが終わると、利用客は操作パネル２０に表示された精算終了ボタンを押下する（ステップＳ５４）。操作パネル２０が精算終了ボタンの押下を受け付けると（ステップＳ１６；ＹＥＳ）、第２重量測定部３１２は第２トレイ３２に載置された買い物かごと精算済みの商品の重量（Ｗ２）を測定し（ステップＳ１７）、不正判断部１１３が精算前に第１重量測定部３１１が測定した重量Ｗ１と、精算後に第２重量測定部３１２が測定した重量Ｗ２を比較する（ステップＳ１８）。
【００４７】
重量Ｗ１と重量Ｗ２が等しい場合（ステップＳ１８；ＹＥＳ）、不正判断部１１３は精算が正しく行われたと判断する。この判断を受けて、表示制御部１１８は代金計算部１１２が算出した合計金額を操作パネル２０に表示させる（ステップＳ１９）。重量が異なる場合（ステップＳ１８；ＮＯ）、表示制御部１１８は正しく精算が行われなかったことを利用客に警告するメッセージを操作パネル２０に表示させる（ステップＳ２６）。図６では、説明を簡単にするために、ステップＳ２６の後は処理が終了するとしているが、利用客が再度精算し直すようにしてもよい。
【００４８】
尚、利用客は第１トレイ３１に買い物かごや商品を載置せずに、電気代や水道代等の公共料金を、払込票を用いて支払う場合もある。この場合、利用客は操作パネル２０を介して公共料金の支払いをする旨の操作を行い、商品情報読取部１４に公共料金の払込票に記載されたバーコードを読み取らせる。商品情報取得部１１１は、商品情報読取部１４が読み取ったバーコードに基づいて支払金額を割り出し、表示制御部１１８がその支払金額を操作パネル２０に表示させる。利用客は全ての払込票の読み取りが終わった後に精算終了ボタンを押下する。
【００４９】
利用客は操作パネル２０に表示された合計代金を見て、その金額を課金装置４０に投入する（ステップＳ５５）。課金装置４０は投入された紙幣や硬貨を徴収し、その金額に応じて釣銭を払い戻す（ステップＳ２０）。
【００５０】
次に、レシート情報生成部１１６は、商品情報取得部１１１が取得した商品名及び販売価格、代金計算部１１２が算出した合計金額、課金装置４０が釣銭を払い戻した場合はその釣銭金額を用いてレシート情報を生成する（ステップＳ２１）。そして、印刷制御部１１５は、レシート情報生成部１１６が生成したレシート情報を画像形成部１３へ出力し、画像形成部１３はそのレシート情報に基づいてレシートを印刷する（ステップＳ２２）。
【００５１】
そして、Ｉ／Ｆ１６にＵＳＢメモリー９２等の補助記憶装置が装着された場合（ステップＳ２３；ＹＥＳ）、制御部１１はレシート情報生成部１１６が生成したレシート情報をＵＳＢメモリー９２へ転送する（ステップＳ２４）。ＵＳＢメモリー９２は転送されたレシート情報を記憶する（ステップＳ５７）。Ｉ／Ｆ１６に補助記憶装置が装着されていない場合は（ステップＳ２３；ＮＯ）、制御部１１はステップＳ２５へ処理を移行する。
【００５２】
次に、駆動制御部１１４は、移動モーター３１３を駆動させて、第１トレイ３１をコピーポジション（第１ポジション）へ移動させる（ステップＳ２５）。具体的には、駆動制御部１１４は移動モーター３１３を制御して第１トレイ３１をレジポジションより上方に移動させ、トレイ上面センサー３３による第１トレイ３１の検知を受けて、駆動制御部１１４は移動モーター３１３を停止させる。
【００５３】
この後、利用客が家計簿グラフを作成したい場合は、レシートにあるＱＲコード（登録商標）を商品情報読取部１４に読み取らせたり、ＵＳＢメモリー９２をＩ／Ｆ１６に装着させてレシート情報を画像形成装置１に取り込ませたりすることで、グラフ情報生成部１１７に家計簿グラフを生成させることができる。
【００５４】
以上、説明したように、画像形成装置１がコピーやプリンター機能に加えて、レジスター機能を持つことで、利用客は画像形成装置１をセルフレジとして使用することができるため、店舗のレジカウンターの混雑を解消させることができる。
【００５５】
また、ほとんどのコンビニエンスストアは店内に新たにセルフレジを設置するスペースはなく、しかしほとんどの店舗でコピーサービスは行っている。従って、コピー機能とレジスター機能を合体させた画像形成装置１を設置することで、合理的に混雑問題を解決することができる。
【００５６】
更に、グラフ情報生成部１１７がレシート情報を用いて家計簿グラフを生成することにより、利用客は生成された家計簿グラフを家計管理に役立てることができ、画像形成装置１の利便性を向上させることができる。
【符号の説明】
【００５７】
１      画像形成装置
１１    制御部
１１１  商品情報取得部
１１２  代金計算部
１１３  不正判断部
１１４  駆動制御部
１１５  印刷制御部
１１６  レシート情報生成部
１１７  グラフ情報生成部
１１８  表示制御部
１４    商品情報読取部
１５    ネットワークＩ／Ｆ
１６    Ｉ／Ｆ
２０    操作パネル
３０    フィニッシャー部
３１    第１トレイ
３１１  第１重量測定部
３１２  第２重量測定部
３１３  移動モーター
３２    第２トレイ
３３    トレイ上面センサー
４０    課金装置
【図５】
2015049856.tif 000003
【図６】
2015049856.tif 000004
【図７】
2015049856.tif 000005
【図１】
2015049856.tif 000006
【図２】
2015049856.tif 000007
【図３】
2015049856.tif 000008
【図４】
2015049856.tif 000009
【図８】
2015049856.tif 000010